(57)【要約】      （修正有）【課題】日付表示ディスク用の結合メカニズムを提供する。【解決手段】第１のディスクＭ１と第２のディスクＭ２を備える時計ムーブメント用のグランドデイトカレンダー表示デバイスであって、第１および第２のディスクＭ１、Ｍ２は、少なくとも特定の日付で、第１のディスクＭ１が有する記号と、第２のディスクＭ２が有する記号との組合せによって第１の日付の値を表示するように構成され、グランドデイトカレンダー表示デバイスは、第１のディスクＭ１と第２のディスクＭ２との間の第１の結合メカニズム１２０および第２の結合メカニズム２１０を含み、それにより、少なくとも特定の日付で、第１のディスクＭ１が第２のディスクＭ２を駆動させ、特定の他の日付では、第２のディスクＭ２が第１のディスクＭ１を駆動させる。【選択図】図１０
2016128809.tif 000002
【特許請求の範囲】
【請求項１】
第１のディスク（Ｍ１）と第２のディスク（Ｍ２）を備える時計ムーブメント用のグランドデイトカレンダー表示デバイスであって、前記第１および第２のディスク（Ｍ１、Ｍ２）は、少なくとも特定の日付で、前記第１のディスク（Ｍ１）が有する記号と、前記第２のディスク（Ｍ２）が有する記号との組合せによって第１の日付の値（Ｑ１）を表示するように構成され、前記デバイスは、前記第１のディスク（Ｍ１）を前記第２のディスク（Ｍ２）に結合するための第１のメカニズム（１２０）と、前記第２のディスク（Ｍ２）を前記第１のディスク（Ｍ１）に結合するための第２のメカニズム（２１０）とを含み、それにより、少なくとも特定の日付で、前記第１のディスク（Ｍ１）が前記第２のディスク（Ｍ２）を駆動させ、特定の他の日付では、前記第２のディスク（Ｍ２）が前記第１のディスク（Ｍ１）を駆動させることを特徴とするグランドデイトカレンダー表示デバイス。
【請求項２】
前記第１のディスク（Ｍ１）は、第１の運動連鎖（Ｃ１）を介して２４時間駆動ホイール（Ｒ）と噛合するように構成された第１の主歯列（Ｄ１）を備え、前記第２のディスク（Ｍ２）は、第２の運動連鎖（Ｃ２）を介して前記２４時間駆動ホイール（Ｒ）と噛合するように構成された第２の主歯列（Ｄ２）を備えることを特徴とする請求項１に記載のグランドデイトカレンダー表示デバイス。
【請求項３】
前記第１のディスク（Ｍ１）は、さらに、第１の追加の運動連鎖（Ｃ１’）を介して摺動ピニオン（Ｂ）と噛合するように構成された第１の追加の歯列（Ｄ１’）を備え、前記第２のディスク（Ｍ２）は、第２の追加の運動連鎖（Ｃ２’）を介して摺動ピニオン（Ｂ）と噛合するように構成された第２の追加の歯列（Ｄ２’）を備えることを特徴とする請求項１または２に記載のグランドデイトカレンダー表示デバイス。
【請求項４】
前記第１のディスク（Ｍ１）は、一の位の記号の第１の列（Ｉ１）を有する一の位用の表示ディスクであり、
前記第２のディスク（Ｍ２）は、前記日付の少なくとも十の位の数字（ｄ）の表示のための第２の記号列（Ｉ２）を備える十の位用の表示ディスクであり、前記第１と第２のディスク（Ｍ１、Ｍ２）は、重畳された同心の環状要素によって形成される
ことを特徴とする請求項１〜３のいずれか一項に記載のグランドデイトカレンダー表示デバイス。
【請求項５】
前記第１の結合メカニズム（１２０）は、駆動位置（ＰＥ）を決定するために固定ギアセクタ（Ｋ）と協働する前記第１のディスク（Ｍ１）と一体の第１の駆動要素、および前記第２のディスク（Ｍ２）と一体の少なくとも１つの第２の駆動要素によって形成され、前記第１の駆動要素は、前記固定ギアセクタ（Ｋ）で、前記第２のディスク（Ｍ２）と一体の前記第２の駆動要素を駆動させるように構成されることを特徴とする請求項１〜４のいずれか一項に記載のグランドデイトカレンダー表示デバイス。
【請求項６】
前記第１のディスク（Ｍ１）と一体の前記第１の駆動要素は、第１の可撓性薄片（Ｌ１）によって形成され、前記第２のディスク（Ｍ２）は、第１のポスト（Ｔ１）、第２のポスト（Ｔ２）、および第３のポスト（Ｔ３）によって形成される複数の第２の駆動要素を備えることを特徴とする請求項５に記載のグランドデイトカレンダー表示デバイス。
【請求項７】
前記第１の結合メカニズム（１２０）は、少なくとも、より高い値の十の位の数字（ｄ）に変わるように日付の値を割送りするように構成される請求項５または６に記載のカレンダー表示デバイス。
【請求項８】
前記第２の結合メカニズム（２１０）は、前記第１のディスク（Ｍ１）と一体の少なくとも１つの第４の駆動要素と協働する前記第２のディスク（Ｍ２）と一体の第３の駆動要素によって形成されることを特徴とする請求項１〜７のいずれか一項に記載のグランドデイトカレンダー表示デバイス。
【請求項９】
前記第３の駆動要素は、前記第２のディスク（Ｍ２）と一体の第２の可撓性薄片（Ｌ２）によって形成され、前記第１のディスク（Ｍ１）は、第１の切欠部（Ｅ１）、第２の切欠部（Ｅ２）、および第３の切欠部（Ｅ３）によって形成される複数の第４の駆動要素を備えることを特徴とする請求項８に記載のグランドデイトカレンダー表示デバイス。
【請求項１０】
前記第２の結合メカニズム（２１０）は、少なくとも、一の位の数字が１から２へ変化する日付の値を割送りするように構成される請求項８または９に記載のカレンダー表示デバイス。
【請求項１１】
前記第１の記号列（Ｉ１）の前記一の位の数字、および前記第２の記号列（Ｉ２）の前記第２の記号は、前記第１のディスク（Ｍ１）の１０個の第１の表示セグメント（Ｓ１０〜Ｓ１９）および第２のディスク（Ｍ２）の１０個の第２の表示セグメント（Ｓ２０〜Ｓ２９）にそれぞれ一定間隔で分布されることを特徴とする請求項１〜１０のいずれか一項に記載のグランドデイトカレンダー表示デバイス。
【発明の詳細な説明】
【技術分野】
【０００１】
本発明は、日付表示メカニズムに関し、特に、「グランドデイト」カレンダー表示メカニズムに関する。本発明は、より特定的には、２つの表示ディスク間の双方向結合メカニズムに関する。
【背景技術】
【０００２】
タイムピース、特にウェアラブル腕時計用の従来のカレンダー表示デバイスは、通常は、環状の日付ディスクを使用し、これは、一定間隔で分布された３１個の環状セクタを含み、各セクタは、暦月の取り得る日付の１つに対応する記号または表示を含む。日付ディスクは、毎日、位置を１つだけ割送りされ、それにより、各日に対応する日付の値をアパーチャを通して表し、日付の値は、１つまたは複数の数字から形成される。したがって、各割送り位置によって占有される角度セクタは、比較的限定されており（３６０／３１、すなわち１２度よりもわずかに小さい）、これは、表示することができる数字の最大サイズをかなり制限する。
【０００３】
したがって、日付を読み取れるようにアパーチャ内に表示される記号のサイズを大きくするために、２つの異なるディスクを使用するシステムが存在しており、一方のディスクは、十の位の数字の表示用であり、他方は、日付の一の位の数字の表示用である。２つの異なるディスクが有する２つの数字を組み合わせるこのタイプのカレンダー表示は、「グランドデイト」表示と呼ばれる。これらの表示デバイスは、各ディスクをそれぞれ割送りするための制御デバイスに結合されて、一の位および十の位の正確な組合せを毎日表示する。
【０００４】
例えば、欧州特許第２４９００８３号（特許文献１）で述べられているものなど、一の位の数のシーケンス０〜９を含む一の位用リングと、それぞれ約９０°のセクタにわたって分布された４つの数字０〜３のシーケンスを含む十の位用ディスクとを含む「グランドデイト」表示メカニズムが知られている。毎日１ステップの速度で駆動される３１個のセクタを有する日付プログラムホイールは、２つの個別の平面上でそれぞれ十の位用ディスクおよび一の位用リングと噛合し、一の位用ディスクを毎日駆動させ、ただし、３０個の歯に歯なしセクタが続くことよって（日付プログラムホイールの第３１日）暦月の第３１日から次の暦月の第１日への変化の際は駆動させない。また、十の位用ディスクは、１ヶ月に４回だけ駆動されて、それぞれ、プログラムホイールの３１個のギアセクタの第９、第２９、および第３１のセクタに配置された長い歯によって、次の十の位への変化および暦月の変化を生じ（９→１０、１９→２０、２９→３０、および３１→０１）、十の位用ホイールと一体回転するクロスを駆動させる。したがって、この日付プログラミングメカニズムは、２４時間ホイールによって毎日１ステップの速度で駆動される日付プログラムホイールからの２つの異なる運動連鎖を使用し、十の位用の表示ディスクと一の位用の表示ディスクとの間の相互作用はない。実際、日付プログラムホイールの３１個のギアセクタはそれぞれ、１ヶ月を通して各日付の値を表示するために、関連する各ディスクと平面ごとに選択的に噛合する。
【０００５】
このタイプのカレンダーメカニズムの１つの欠点は、非常に多数の部品を必要とすることであり、部品は、制御メカニズムと表示メカニズムとに関して別個であり、したがってプレート上でスペースをとりすぎる。さらに、十の位用ディスクに関連するクロスは、非常に少数の歯を有し、これは、各割送り動作中に必要とされる大きな角度ステップにより、ギアリングの信頼性に関して好ましくない。
【０００６】
他のタイプの「グランドデイト」表示メカニズムも、例えば欧州特許第１６０９０２８号（特許文献２）から知られており、特定の日付に関する２つの数字を時として含むことができる修正された十の位用ディスクを有する複合の解決策を使用する。この解決策は、一の位の数を有するディスクを十の位の数を有するディスクと結合するためのデバイスを開示し、一の位用ディスクは、特定の日付で十の位用ディスクを駆動させるための突起を有する。この表示解決策によれば、修正された十の位用ディスクが多数の記号を有することで、ギアリングメカニズムが簡単になるものの、一の位に関係する記号のシーケンスは、３１個のセクタを有するプログラムホイールと一体回転するディスク上に配置されるので、その結果、表示することができる文字の最大サイズは、依然として非常に制限されたままである。
【先行技術文献】
【特許文献】
【０００７】
【特許文献１】欧州特許第２４９００８３号
【特許文献２】欧州特許第１６０９０２８号
【発明の概要】
【発明が解決しようとする課題】
【０００８】
本発明の目的は、これらの既知の制限をなくすカレンダー表示メカニズムを提供することである。
【０００９】
本発明の別の目的は、新規の表示および記号シーケンス、ならびに新規の駆動メカニズムを使用して、少なくともいくつかの日付に関して２つのディスクを組み合わせることによって、新たなタイプのグランドデイト表示メカニズムを提供することである。
【課題を解決するための手段】
【００１０】
これらの目的は、特に、独立請求項によるグランドデイト表示メカニズムの特長によって実現され、特に、第１のディスクと第２のディスクを備える時計ムーブメント用のグランドデイトカレンダー表示デバイスであって、第１および第２のディスクは、少なくとも特定の日付で、第１のディスクが有する記号と、第２のディスクが有する記号とを組み合わせることによって第１の日付の値を表示するように構成され、デバイスは、第１のディスクを第２のディスクに結合するための第１のメカニズムと、第２のディスクを第１のディスクに結合するための第２のメカニズムとを含み、それにより、少なくとも特定の日付で、第１のディスクが第２のディスクを駆動させ、特定の他の日付では、第２のディスクが第１のディスクを駆動させることを特徴とするグランドデイトカレンダー表示デバイスによって実現される。
【００１１】
本発明の特定の実施形態は、従属請求項で定義される。
【００１２】
本発明の１つの利点は、各ディスクを他のディスクによって相互駆動させるによって表示シーケンスのサイクルおよびプログラミングを変更することを可能にすることであり、それにより、例えば、修正された日付ディスクに特定の一の位の記号を追加することによって、２つのディスクが有する記号または表示のバランスをより良くすることである。好ましい実施形態によれば、各ディスクが有する表示記号の数は全く同じであり、組合せ表示に関して文字のサイズを最良に調節することを可能にする。
【００１３】
提案される解決策の別の利点は、機能的プログラミング部品を実際の日付表示の部品と組み合わせることによって、表示デバイスを形成するのに必要な部品の数を減少させることである。
【００１４】
好ましい実施形態によれば、２つの表示ディスクは、実質的に環状の回転要素によって形成され、すなわちその表示記号は、典型的には１ヶ月の１サイクル中に３６０度にわたって延在する完全な環状セグメント上に広がっている。２つのディスクの記号が同じ環状面をカバーするように配置され、少なくともいくつかの日付に関して互いに重畳されるとき、表示は小さい空間内に制限され、有利には、制御メカニズムをリングの中央に組み込み、コンパクト性を高めることができる。
【００１５】
本明細書では、非限定の例として本発明の有利な例示的実装形態を提示し、添付図面に示す。
【図面の簡単な説明】
【００１６】
【図１Ａ】第１の修正された一の位用ディスクを示す図である。
【図１Ｂ】第２の修正された十の位用ディスクを示す図である。
【図１Ｃ】本発明の好ましい実施形態によるグランドデイト表示デバイスによって使用される他の構成部品を示す図である。
【図１Ｄ】本発明の好ましい実施形態によるグランドデイト表示デバイスによって使用される他の構成部品を示す図である。
【図２Ａ】図１Ｂの第２のディスクの上面図であって、本発明によるグランドデイト表示デバイスの好ましい実施形態においてカレンダーメカニズムを毎日駆動させるため、および日付を修正するために異なるギアリング平面で作用する様々な歯列に加えて、様々な相互結合要素を示す図である。
【図２Ｂ】図１Ｂの第２のディスクの底面図であって、本発明によるグランドデイト表示デバイスの好ましい実施形態においてカレンダーメカニズムを毎日駆動させるため、および日付を修正するために異なるギアリング平面で作用する様々な歯列に加えて、様々な相互結合要素を示す図である。
【図２Ｃ】図１Ａの第１のディスクの上面図であって、本発明によるグランドデイト表示デバイスの好ましい実施形態においてカレンダーメカニズムを毎日駆動させるため、および日付を修正するために異なるギアリング平面で作用する様々な歯列に加えて、様々な相互結合要素を示す図である。
【図２Ｄ】図１Ａの第１のディスクの底面図であって、本発明によるグランドデイト表示デバイスの好ましい実施形態においてカレンダーメカニズムを毎日駆動させるため、および日付を修正するために異なるギアリング平面で作用する様々な歯列に加えて、様々な相互結合要素を示す図である。
【図３Ａ】本発明のグランドデイト表示デバイスの好ましい実施形態に従って、暦月の３１日から次の暦月の１日への変化の例に関して、第１および第２のディスクの様々な歯列を２４時間駆動ホイールとギアリングするためのメカニズムの３次元の図である。
【図３Ｂ】本発明のグランドデイト表示デバイスの好ましい実施形態に従って、暦月の３１日から次の暦月の１日への変化の例に関して、第１および第２のディスクの様々な歯列それぞれの様々なギアリング平面の断面図である。
【図４Ａ】本発明のグランドデイト表示デバイスの好ましい実施形態に従って、暦月の第３１日から次の暦月の第１日への変化の例に関して、第１および第２のディスクの様々な歯列を摺動ピニオンとギアリングするためのメカニズムの３次元の図である。
【図４Ｂ】本発明のグランドデイト表示デバイスの好ましい実施形態に従って、暦月の第３１日から次の暦月の第１日への変化の例に関して、第１および第２のディスクの様々な歯列それぞれの様々なギアリング平面の断面図である。
【図５Ａ】一の位の数が２〜９の間に含まれる日付に関する第１のシーケンス中の好ましい実施形態による第１および第２のディスクの割送りメカニズムを説明するための図である。暦月の第２日に関して、上から見た、ダイヤルのアパーチャを通した日付を示した図である。
【図５Ｂ】一の位の数が２〜９の間に含まれる日付に関する第１のシーケンス中の好ましい実施形態による第１および第２のディスクの割送りメカニズムを説明するための図である。暦月の第２日に関して、上から見た、第１と第２のディスクの相対位置を示した図である。
【図５Ｃ】一の位の数が２〜９の間に含まれる日付に関する第１のシーケンス中の好ましい実施形態による第１および第２のディスクの割送りメカニズムを説明するための図である。暦月の第２日に関して、下から見た、第１と第２のディスクの相対位置を示した図である。
【図５Ｄ】一の位の数が２〜９の間に含まれる日付に関する第１のシーケンス中の好ましい実施形態による第１および第２のディスクの割送りメカニズムを説明するための図である。上の図５Ａと同じ図であるが、暦月の第３日への変化後の図である。
【図５Ｅ】一の位の数が２〜９の間に含まれる日付に関する第１のシーケンス中の好ましい実施形態による第１および第２のディスクの割送りメカニズムを説明するための図である。上の図５Ｂと同じ図であるが、暦月の第３日への変化後の図である。
【図５Ｆ】一の位の数が２〜９の間に含まれる日付に関する第１のシーケンス中の好ましい実施形態による第１および第２のディスクの割送りメカニズムを説明するための図である。図５Ｃと同じ図であるが、暦月の第３日への変化後の図である。
【図６Ａ】次の十の位への日付の変化（９→１０、１９→２０、２９→３０）に関する第２のシーケンス中の好ましい実施形態による第１および第２のディスクの割送りメカニズムを説明するための図である。暦月の第９日に関して、上から見た、ダイヤルのアパーチャを通した日付を示した図である。
【図６Ｂ】次の十の位への日付の変化（９→１０、１９→２０、２９→３０）に関する第２のシーケンス中の好ましい実施形態による第１および第２のディスクの割送りメカニズムを説明するための図である。暦月の第９日に関して、上からから見た、第１と第２のディスクの相対位置を示した図である。
【図６Ｃ】次の十の位への日付の変化（９→１０、１９→２０、２９→３０）に関する第２のシーケンス中の好ましい実施形態による第１および第２のディスクの割送りメカニズムを説明するための図である。、暦月の第９日に関して、下から見た、第１と第２のディスクの相対位置を示した図である
【図６Ｄ】次の十の位への日付の変化（９→１０、１９→２０、２９→３０）に関する第２のシーケンス中の好ましい実施形態による第１および第２のディスクの割送りメカニズムを説明するための図である。上の図６Ａと同じ図であるが、暦月の第１０日への変化後の図である。
【図６Ｅ】次の十の位への日付の変化（９→１０、１９→２０、２９→３０）に関する第２のシーケンス中の好ましい実施形態による第１および第２のディスクの割送りメカニズムを説明するための図である。図６Ｂと同じ図であるが、暦月の第１０日への変化後の図である。
【図６Ｆ】次の十の位への日付の変化（９→１０、１９→２０、２９→３０）に関する第２のシーケンス中の好ましい実施形態による第１および第２のディスクの割送りメカニズムを説明するための図である。上の図６Ｃと同じ図であるが、暦月の第１０日への変化後の図である。
【図６Ｇ】次の十の位への日付の変化（９→１０、１９→２０、２９→３０）に関する第２のシーケンス中の好ましい実施形態による第１および第２のディスクの割送りメカニズムを説明するための図である。相互回転駆動するための第１のディスクの薄片と第２のディスクのポストとのギアリングを示す詳細図である。
【図７Ａ】１０の倍数から１で終わる次の日付への変化（１０→１１、２０→２１、３０→３１）に関する第３のシーケンス中の好ましい実施形態による第１および第２のディスクの割送りメカニズムを説明するための図である。暦月の第１０日に関して、上から見た、ダイヤルのアパーチャを通した日付示した図である。
【図７Ｂ】１０の倍数から１で終わる次の日付への変化（１０→１１、２０→２１、３０→３１）に関する第３のシーケンス中の好ましい実施形態による第１および第２のディスクの割送りメカニズムを説明するための図である。暦月の第１０日に関して、下から見た、第１と第２のディスクの相対位置を示した図である。
【図７Ｃ】１０の倍数から１で終わる次の日付への変化（１０→１１、２０→２１、３０→３１）に関する第３のシーケンス中の好ましい実施形態による第１および第２のディスクの割送りメカニズムを説明するための図である。暦月の第１０日に関して、下から見た、第１と第２のディスクの相対位置を示し図であるる。
【図７Ｄ】１０の倍数から１で終わる次の日付への変化（１０→１１、２０→２１、３０→３１）に関する第３のシーケンス中の好ましい実施形態による第１および第２のディスクの割送りメカニズムを説明するための図である。上の図７Ａと同じ図であるが、暦月の第１１日への変化後の図である。
【図７Ｅ】１０の倍数から１で終わる次の日付への変化（１０→１１、２０→２１、３０→３１）に関する第３のシーケンス中の好ましい実施形態による第１および第２のディスクの割送りメカニズムを説明するための図である。上の図７Ｂと同じ図であるが、暦月の第１１日への変化後の図である。
【図７Ｆ】１０の倍数から１で終わる次の日付への変化（１０→１１、２０→２１、３０→３１）に関する第３のシーケンス中の好ましい実施形態による第１および第２のディスクの割送りメカニズムを説明するための図である。上の図７Ｃと同じ図であるが、暦月の第１１日への変化後の図である。
【図８Ａ】１で終わる日付から２で終わる日付への変化（０１→０２、１１→１２、２１→２２）に関する第４のシーケンス中の好ましい実施形態による第１および第２のディスクの割送りメカニズムを説明するための図である。暦月の第１１日に関して、上から見た、ダイヤルのアパーチャを通した日付を示し図である。
【図８Ｂ】１で終わる日付から２で終わる日付への変化（０１→０２、１１→１２、２１→２２）に関する第４のシーケンス中の好ましい実施形態による第１および第２のディスクの割送りメカニズムを説明するための図である。暦月の第１１日に関して、上から見た、第１と第２のディスクの相対位置を示した図である。
【図８Ｃ】１で終わる日付から２で終わる日付への変化（０１→０２、１１→１２、２１→２２）に関する第４のシーケンス中の好ましい実施形態による第１および第２のディスクの割送りメカニズムを説明するための図である。暦月の第１１日に関して、下から見た、第１と第２のディスクの相対位置を示した図である。
【図８Ｄ】１で終わる日付から２で終わる日付への変化（０１→０２、１１→１２、２１→２２）に関する第４のシーケンス中の好ましい実施形態による第１および第２のディスクの割送りメカニズムを説明するための図である。上の図８Ａと同じ図であるが、暦月の第１２日への変化後の図である。
【図８Ｅ】１で終わる日付から２で終わる日付への変化（０１→０２、１１→１２、２１→２２）に関する第４のシーケンス中の好ましい実施形態による第１および第２のディスクの割送りメカニズムを説明するための図である。上の図８Ｂと同じ図であるが、暦月の第１２日への変化後の図である。
【図８Ｆ】１で終わる日付から２で終わる日付への変化（０１→０２、１１→１２、２１→２２）に関する第４のシーケンス中の好ましい実施形態による第１および第２のディスクの割送りメカニズムを説明するための図である。上の図８Ｃと同じ図であるが、暦月の第１２日への変化後の図である。
【図９Ａ】暦月の最後の日（第３１日）から次の暦月の第１日への変化（３１→０１）に関する第５のシーケンス中の好ましい実施形態による第１および第２のディスクの割送りメカニズムを説明するための図である。暦月の第３１日に関して、上から見た、ダイヤルのアパーチャを通した日付を示した図である。
【図９Ｂ】暦月の最後の日（第３１日）から次の暦月の第１日への変化（３１→０１）に関する第５のシーケンス中の好ましい実施形態による第１および第２のディスクの割送りメカニズムを説明するための図である。暦月の第３１日に関して、上から見た、第１と第２のディスクの相対位置を示した図である。
【図９Ｃ】暦月の最後の日（第３１日）から次の暦月の第１日への変化（３１→０１）に関する第５のシーケンス中の好ましい実施形態による第１および第２のディスクの割送りメカニズムを説明するための図である。暦月の第３１日に関して、下から見た、第１と第２のディスクの相対位置を示した図である。
【図９Ｄ】暦月の最後の日（第３１日）から次の暦月の第１日への変化（３１→０１）に関する第５のシーケンス中の好ましい実施形態による第１および第２のディスクの割送りメカニズムを説明するための図である。上の図９Ａと同じ図であるが、次の暦月の第１日への変化後の図である。
【図９Ｅ】暦月の最後の日（第３１日）から次の暦月の第１日への変化（３１→０１）に関する第５のシーケンス中の好ましい実施形態による第１および第２のディスクの割送りメカニズムを説明するための図である。上の図９Ｂと同じ図であるが、次の暦月の第１日への変化後の図である。
【図９Ｆ】暦月の最後の日（第３１日）から次の暦月の第１日への変化（３１→０１）に関する第５のシーケンス中の好ましい実施形態による第１および第２のディスクの割送りメカニズムを説明するための図である。上の図９Ｃと同じ図であるが、次の暦月の第１日への変化後の図である。
【図１０】本発明の好ましい実施形態で使用される２つの表示ディスクの間の運動連鎖および双方向結合メカニズムの概略図である。
【発明を実施するための形態】
【００１７】
図１０は、好ましくは、提案される表示デバイスを１日ずつ割り送るために２４時間で１回転する駆動ホイールＲと、以下の図１Ｃに例示されるものなど例えば外部制御システムによって回転作動される独立した日付修正ホイールＢとに噛合するキャノンピニオンＭ０を回転駆動させる基本ムーブメントを好ましくは使用する制御メカニズムにおける、本発明による２つの表示ディスクの間、好ましくは図１Ａで以下に例示する第１のディスクＭ１と図１Ｂで例示する第２のディスクとの間の双方向結合メカニズムの動作原理を説明する概略図である。
【００１８】
したがって、前述の従来技術メカニズムのいくつかと同様に、第１のディスクＭ１は、現在の日付の値に従って、第１の運動連鎖を介して、２４時間駆動ホイールＲによって直接または間接的に選択的に駆動され、一方、第２のディスクＭ２も、現在の日付の値に従って、第２の別個の独立した運動連鎖を介して、２４時間駆動ホイールＲによって直接または間接的に選択的に駆動される。以下の図で説明して図示する好ましい実施形態では、いくつかの日付に関して、例えば、暦月の第９日から第１０日への変化、暦月の第１９日から第２０日への変化、および最後に暦月の第２９日から第３０日への変化に関して、第１のディスクＭ１を第２のディスクＭ２に結合するための第１のメカニズム１２０は、２４時間駆動ホイールＲによって直接駆動されることなく第２のディスクＭ２が第１のディスクＭ１によって駆動されるようにし、逆に、暦月の第１日から第２日への変化、第１１日から第１２日への変化、および最後に第２１日から第２２日への変化に関しては、第２のディスクＭ２を第１のディスクＭ１に結合するための第２のメカニズム２１０は、２４時間駆動ホイールＲによって直接駆動されることなく第１のディスクＭ１が第２のディスクＭ２によって駆動されるようにする。したがって、これらの結合メカニズムは、説明する好ましい実施形態では、それぞれ、以下の一連の図６Ａ〜Ｇによって示される第２の割送りシーケンス、および以下の一連の図８Ａ〜Ｆによって示される第４の割送りシーケンスに関して使用される。
【００１９】
図１０は、２列の２つの運動連鎖と、２列の対応するギア平面とを表す。これらの言及は、以下の図３Ａ〜Ｂおよび図４Ａ〜Ｂに鑑みてより良く理解されよう。図３Ａ〜Ｂおよび図４Ａ〜Ｂは、第１のディスクＭ１の第１の主歯列Ｄ１が駆動ホイールＲの第１の歯Ｒｄ１と噛合する第１の主ギア平面Ｐ１と、第２のディスクＭ２の第２の主歯列Ｄ２が駆動ホイールＲの第２の歯Ｒｄ２と噛合する第２の主ギア平面Ｐ２とを示す。同様に、第１の補助ギア平面Ｐ１’は、第１のディスクＭ１の第１の補助歯列Ｄ１’が日付修正ホイールＢの歯の１つと噛合する平面を表し、第２の補助ギア平面Ｐ２’は、第２のディスクＭ２の第２の補助歯列Ｄ２’が日付修正ホイールＢの歯の１つと噛合する平面を表す。したがって、駆動ホイールＲと第１のディスクＭ１との間に第１の運動連鎖Ｃ１が存在し、駆動ホイールＲと第２のディスクＭ２との間に第２の運動連鎖Ｃ２が存在し、日付修正ホイールＢと第１のディスクＭ１との間に第１の補助運動連鎖Ｃ１’が存在し、日付修正ホイールＢと第２のディスクＭ２との間に第２の補助運動連鎖Ｃ２’が存在する。
【００２０】
図１Ａおよび図１Ｂは、本発明の好ましい実施形態によるグランドデイト表示のために使用される２つのディスクをそれぞれ示す。
【００２１】
図１Ａの第１のディスクＭ１は、従来の様式で提供された一の位用ディスクからなり、１０個の表示セグメント（それぞれＳ１０、Ｓ１１、Ｓ１２、Ｓ１３、Ｓ１４、Ｓ１５、Ｓ１６、Ｓ１７、Ｓ１８、およびＳ１９で表される）が、第１のディスクＭ１の周縁に一定の間隔で配置され、それぞれ一連の数値１〜９の数字の１つに対応し、すなわち、一連の完全な１０個の一の位の数０〜９の列から数字｛０｝が除去されている。したがって、第１のディスクＭ１は、第１の記号列Ｉ１を有し、これは、第１の空間と、それに続く第１の一の位の数字ｕ１＝｛３，４，５，６，７，８，９｝の第１のシーケンスＵ１からなる。したがって、第１の記号列Ｉ１＝｛φ，１〜９｝は、９個の一の位の数１〜９と、第２の一の位の数字ｕ２（ここでは、数字０）に対応する１つの空間φとを含む１０個の表示記号を含み、第２の一の位の数字ｕ２の表示は、図１Ｂで見られるように、第２のディスクＭ２に設けられた第２の記号列Ｉ２に移される。第１の記号列Ｉ１の全ての記号ｉ１は、第１の空所Ｖ０で互いに離隔されて、少なくともいくつかの日付に関する十の位の数字ｄとの組合せによる表示を容易にし、これらの日付を「第１の日付」Ｑ１と呼ぶ。
【００２２】
図１Ｂの第２のディスクＭ２は、修正された十の位用ディスクであり、これは、４つの従来の十の位の数（０、１、２、３）の記号を有することに加えて、第１のディスクＭ１から除去された一の位の数（すなわち、ここでは数字「０」）で終わる日付も表示することができる。したがって、この第２のディスクＭ２は、第１のディスクＭ１との組合せを必要とせずに暦月の第１０日、第２０日、および第３０日を表示することができる。これら３つの上記の日付の値を「第２の日付」Ｑ２と呼ぶ。すなわち、第１のディスクＭ１の記号と第２のディスクＭ２の記号との組合せによって表示される第１の日付Ｑ１とは対照的に、第２のディスクＭ２のみによって表示される日付の値である。
【００２３】
第２のディスクＭ２も、第２のディスクＭ２の周縁に一定の間隔で分布された１０個の表示セグメント（Ｓ２０、Ｓ２１、Ｓ２２、Ｓ２３、Ｓ２４、Ｓ２５、Ｓ２６、Ｓ２７、Ｓ２８、およびＳ２９と表される）と、第２の記号列Ｉ２＝｛０Ｘ，０Ｘ，１０，１Ｘ，１Ｘ，２０，２Ｘ，２Ｘ，３０，３Ｘ｝とを設けられる。ここで、値「Ｘ」は、第２の空所Ｖ１もしくは第３の空所Ｖ２、または任意の他の数値を示し、第１のディスクの記号がそこに重畳されるように意図される。第２の記号列Ｉ２の記号の数は、第１のディスクＭ１の記号の数、および表示セグメントの数に等しい（すなわち、１０である）。そのような構成は、重ね合わされたギアセクタを有する制御デバイスの挿入に特に有利であり、これは、特に２つの表示ディスクＭ１、Ｍ２がそれぞれ実質的に環状である（すなわち、１回の表示サイクル中に全ての記号を巡ることによって得られる幾何形状がリングに対応し、その中心に、制御メカニズムを挿入するための空間が空いている）とき、大幅な省スペース化を可能にする。第１の表示ディスクＭ１と第２の表示ディスクＭ２は、有利には同心リングの形態で配置することができる。第１のディスクＭ１は、図１Ｃで以下に示される典型的には２４時間駆動ホイールＲなどの駆動ホイールおよびピニオンと噛合するように構成された第１の主歯列Ｄ１を設けられ、第２のディスクＭ２も同様に、同じ駆動ホイールＲに噛合するための第２の主歯列Ｄ２を含む。
【００２４】
図１Ｂにおいて、第２のディスクＭ２上の十の位の数字の後の空間に関して、２タイプの参照符号が示されている。すなわち、第１のディスクＭ１の数字「１」との組合せ表示のための第２の空所Ｖ１と、第２のディスクＭ２の２つの切欠部および第２の薄片Ｌ２の位置に対応する第３の空所Ｖ２とである。参照符号Ｖ２に対応する第３の空所が表示アパーチャと対向するように位置されるとき、現在の表示段階が、一連の図５Ａ〜Ｆを参照して以下に説明する第１の割送りシーケンスであることが分かる。図５Ａ〜Ｆには、第１のディスクＭ１の一の位の数字２〜９が示されている。
【００２５】
図１Ａは、参照符号Ｓ１０〜Ｓ１１を付された表示セグメントに第１の薄片Ｌ１があることを示す。以下で見るように、この可撓性の第１の薄片Ｌ１の役割は、特定の日付の割送り中に第１のディスクＭ１によって第２のディスクＭ２を駆動させるための要素として働くことであり、とりわけ、それぞれ図１Ｂで見られる第２のディスクＭ２と一体の第１のポストＴ１、第２のポストＴ２、および第３のポストＴ３との協働により十の位の数を変え、これらのポストは、ここでは、表示平面に垂直な平面内に、すなわち第１のディスクＭ１および第２のディスクＭ２の接合回転軸に平行な方向に配置される。したがって、所与の角度セクタでのこの第１の薄片Ｌ１の角度位置は、ポストの相対角度位置に依存し、図１Ａの例示におけるように前述のセクタＳ１０〜Ｓ１１に配置される必要は必ずしもないことが理解されよう。好ましい例示的実施形態の利点は、単純に、第１のディスクＭ１の第１の記号列Ｉ１の表示を、第２のディスクを駆動させるデバイスから切り離すことであり、これは明瞭性を高める。同様に、図１Ｂは、第２の薄片Ｌ２の存在を示し、これは、特定の他の日付の割送り（特に、数字「１」で終わる日付から数字「２」で終わる日付への変化）中に、第１のディスクＭ１の内周縁に提供される切欠部との協働により、第２のディスクＭ２によって第１のディスクＭ１を駆動させるために提供される。すなわち、そのような切欠部は、以下のようなものである。
−変化０１→０２のための第１の切欠部Ｅ１、
−変化１１→１２のための第２の切欠部Ｅ２、および最後に
−変化２１→２２のための第３の切欠部Ｅ３
これら３つの切欠部Ｅ１、Ｅ２、Ｅ３、および第２の薄片Ｌ２に対するそれらの相対位置は、一連の図５〜９で見ることができ、これらの図は、以下に詳述する本発明による表示デバイスを実現するための好ましい制御メカニズムの５つの割送りシーケンス特性に関係する。
【００２６】
図１Ａおよび図１Ｂを参照して分かるように、第１のディスクと第２のディスクがそれぞれ正確に同数の表示記号を使用するので、例示される好ましい実施形態は特に有利である。すなわち、第１のディスクＭ１の第１の記号列Ｉ１の第１の記号ｉ１の数が、第２のディスクＭ２の第２の記号列Ｉ２の第２の記号ｉ２の数と同じであり、どちらも１０である。また、これら２つの記号列は、同数の表示セグメントにわたって分布され、これは、各サイクル中にどの記号も複数回繰り返されることがなく、各表示セグメントのサイズ、したがって表示される数字のサイズを最大にすることができることを意味する。したがって、これは、第１のディスクＭ１の第１の表示セグメント（すなわちセグメントＳ１０〜Ｓ１９）の第１の数Ｎ１が第２のディスクＭ２の第２の表示セグメント（すなわちセグメントＳ２０〜Ｓ２９）の第２の数Ｎ２に等しい特定の状況である。この構成はギアメカニズムを簡単にし、さらに、各ディスクが有する各数字または空間のサイズは最適なサイズを有することができる。実際、第１、第２、および第３の空所Ｖ０、Ｖ１、Ｖ２、十の位の数字ｄ、ならびに第１および第２の一の位の数ｕ１〜ｕ２のサイズは、サイズに関しても、占有する角度セクタに関しても全て同一でよいことに留意されたい。これは、従来技術のように単に一の位用ディスクに関してだけではなく、２つのディスクそれぞれに関する特に一様な表示および高信頼性の割送りを可能にする。
【００２７】
しかし、以下の説明は、そのような有利な構成を使用する表示ディスクをプログラミングするためのメカニズムを詳述するが、それにも関わらず、本発明の範囲から逸脱することなく、各ディスクの表示セグメントの数またはそれらの相互結合メカニズムを変更せずに、第１のディスク１におけるいくつかの一の位の数の表示を第２のディスク２へ移すこと、または一連の数０〜９を有する完全な一の位用ディスクの形態で第１のディスクＭ１を使用することも可能であることを理解されたい。したがって、単に一の位の数のシーケンスから数字０を除去するだけではなく、第１のディスクＭ１の表示セグメントＳ１１から記号「１」を除去することによって、第１のディスクＭ１１の第１の記号列Ｉ１から第２の数字ｕ２｛０，１｝の第２のシーケンスＵ２が除去された場合、その結果、第２の修正された記号列Ｉ２｛０１，０Ｘ，１０，１１，１Ｘ，２０，２１，２Ｘ，３０，３１｝を有する第２の修正された十の位用ディスクＭ２を使用することを想定することが可能である。ここで、値「Ｘ」は、第３の空所Ｖ２または任意の数値のみを示し、第１のディスクＭ１の第１の記号列Ｉ１からの数字がそこに重畳され、第２の空所Ｖ１は除かれている。いずれにせよ、以下に説明するプログラミングメカニズムを変えることはなく、特に第１の結合メカニズム１２０または第２の結合メカニズム２１０を変えない。１０個の表示セグメントを依然として備えるが、数字がもう１つ除去された第１の記号列Ｉ１（すなわち、表示セグメントＳ１２から記号「２」が除去された、第２の数字ｕ２｛０，１，２｝の第２のシーケンスＵ２）を有するディスクＭ１を使用することによっても、プログラミングメカニズムが変更されないことは、以下の説明を読めば容易に理解することができる。このとき、第２のディスクＭ２の第２の記号列は、以下のシーケンス｛０１，０２，１０，１１，１２，２０，２１，２２，３０，３１｝に適合されればよい。すなわち、これは、第２のディスクＭ２から第２の空所Ｖ１および第３の空所Ｖ２を全て除去し、図１Ｂにおける表示セグメントＳ２２、Ｓ２５、およびＳ２８に、第３の空所Ｖ２の代わりに第２の一の位の数字２をそれぞれ追加することによって成される。さらに、上述した日付プログラミングメカニズム、特に結合メカニズムをやはり変更することなく、表示セグメントＳ１０に記号「０」を追加することによって、第１の一連の完全な一の位の数０〜９を設けられた第１のディスクＭ１を使用することも可能である。その場合、第１のタイプの日付Ｑ１のみが、第２の修正された記号列Ｉ２｛０Ｘ，０Ｘ，１Ｘ，１Ｘ，１Ｘ，２Ｘ，２Ｘ，２Ｘ，３Ｘ，３Ｘ｝を有する第２のディスクＭ２の十の位の数値ｄの記号と組み合わせて系統的に表示され、ここで、値「Ｘ」は、第２の空所Ｖ１（第１のディスクＭ１の第１の記号列Ｉ１の一の位の数字「１」との組合せでの表示のために提供される）、第３の空所Ｖ２（第１のディスクＭ１の第１の記号列Ｉ１の一の位の数２〜９との組合せでの表示のために提供される）、もしくは別のタイプの空所（第１のディスクＭ１の第１の記号列Ｉ１の一の位の数字「０」との組合せでの表示のために提供される）、または任意の他の数字を示す。図示されていないこれらの代替実施形態が、特許請求される本発明の動作を理解するための非限定の例として提示されているにすぎないことは、前述のことから理解されよう。第１のディスクＭ１の第１の記号は、第２のディスクＭ２の第２の記号とサイズが同一であるので、以下の図５Ａ、６Ａ、７Ａ、８Ａ、９Ａで特に示される表示アパーチャの第２の窓Ｆ２内で第２の記号の上に重畳可能である。したがって、この第２のアパーチャＦ２内に現れるのは第１の記号列Ｉ１の一の位の数字であり、ここでは、関連付けられる特定の割送りシーケンスをより良く識別できるように、第２のディスクＭ２の特定のタイプの空所に対応する表示される数字または参照符号を単に使用する。
【００２８】
図１Ｃは、２つの表示ディスクＭ１、Ｍ２の中心に空いた空間内に組み込まれるように意図された駆動メカニズムの上面図を示す。ムーブメントＭ０のキャノンピニオンが見られ、これは、適切なギア比によって、２４時間駆動ホイールＲが１日に正確に１回転を完了するように２４時間駆動ホイールＲを駆動させる。また、この駆動ホイールは、デイリーギアセクタＲｅを含み、このセクタＲｅ内で、好ましくは、同一のプロファイルの２つの歯、すなわち第１のデイリーギア歯Ｒｄ１と第２のデイリーギア歯Ｒｄ２が２つの異なるギア平面内に配置される。これらは、図３Ａおよび３Ｂで見ることができ、第１のディスクＭ１の第１の主歯列Ｄ１および第２のディスクＭ２の第２の主歯列Ｄ２とそれぞれ噛合するように意図され、それにより、第１の主運動連鎖Ｃ１と第２の主運動連鎖Ｃ２の好ましい実施形態を形成する。一般に「摺動ピニオン」と呼ばれる日付修正ホイールセットＢは、互いに９０°の間隔を空けて配置された一連の４つの修正歯（第１の修正歯ｂ１、第２の修正歯ｂ２、第３の修正歯ｂ３、および第４の修正歯ｂ４）を含み、優れたギア安全性を提供し、例えば竜頭によって作動される時に十分に高速で動く。摺動ピニオンＢのこれらの歯は、それぞれ、第１のディスクＭ１の第１の追加の歯列Ｄ１’および第２のディスクＭ２の第２の追加の歯列Ｄ２’と共に駆動するように意図され、これらの追加の歯列は、図３Ａ〜図３Ｂおよび図４Ａ〜図４Ｂの対を参照して以下に示すように、主歯列とは別のギア平面内に位置される。摺動ピニオンＢと、第１のディスクＭ１の第１の追加の歯列Ｄ１’または第２のディスクＭ２の第２の追加の歯列Ｄ２’との直接の接続は、第１の追加の運動連鎖Ｃ１’および第２の追加の運動連鎖Ｃ２’を形成し、それらは、各表示ディスクに関する対応する主運動連鎖とは完全に別である。摺動ピニオンＢは、第１のディスクＭ１および第２のディスクＭ２の表示リングの中心にある空いた空間内に任意の角度セクタで位置されることがあり、これは、９つの可能な位置への配置という大きな自由度を残す。したがって、追加の歯列は、主歯列に対する単純な循環置換によって得ることができる。したがって、直径方向で向かい合う摺動ピニオンＢと２４時間駆動ホイールＲとの位置はある特定の場合に関するものであり、この構成は、本発明を達成するために必須ではない。
【００２９】
割送りされた位置で第１のディスクＭ１および第２のディスクＭ２を保持するために、それぞれ第１のジャンパＪ１および第２のジャンパＪ２が提供され、ジャンパＪ１、Ｊ２は、以下の図３Ａで見られるように、重畳されるが互いに離れている。それらは、所与の表示セグメントに配置され、各ディスクの歯列の２つの歯の間に挿入される。各ジャンパの厚さは、好ましくは、各ディスクの主ギア平面および追加のギア平面上まで延ばされ、したがって、直径方向で互いに向かい合う２４時間駆動ホイールＲと摺動ピニオンＢとの提案された構成において、割送りされた位置で各ディスク、すなわち第１のディスクＭ１および第２のディスクＭ２を保持することが可能である。なぜなら、各ディスクのジャンパ（Ｍ１に関するＪ１、およびＭ２に関するＪ２）は、２つの連続する表示セグメントの間で、少なくとも前記ディスクの主ギア平面または追加のギア平面の第１の歯および前記ディスクの主ギア平面または追加のギア平面の第２の歯に常に当接して位置決めされるからである。すなわち、２４時間駆動ホイールＲと摺動ピニオンＢとの構成では、各ディスクの主歯列および追加の歯列は、２つの連続する歯なしギアセクタを同時に形成することはない。
【００３０】
図１Ｄは、上述した図１Ｃに示される駆動要素に関する保持プレートＰの好ましい変形形態を示す。摺動ピニオンＢ、キャノンピニオンＭ０、および２４時間駆動ホイールＲの軸を示す矢印が点線で示されている。この好ましい実施形態によれば、保持プレートＰは、実質的に１つの表示セグメントの幅にわたって延在する固定ギアセクタＫを含み、これは、一連の図６で示されるギアシーケンスによって以下で見るように、好ましくは図１Ａに示される第１の薄片Ｌ１と同じタイプの可撓性薄片によって形成される結合要素によって日付を次の十の位に変えるように意図される。
【００３１】
図２Ａおよび図２Ｂは、図１Ｂの第２のディスクＭ２の上面図および底面図をそれぞれ示し、図２Ｃおよび２Ｄは、逆に、図１Ａの第１のディスクＭ１の底面図および上面図を示す。図２Ａは、第２の記号シーケンスＩ２｛０Ｘ，０Ｘ，１０，１Ｘ，１Ｘ，２０，２Ｘ，２Ｘ，３０，３Ｘ｝を再度示し、第１のディスクの記号「１」との組合せでの表示のための第２の空所Ｖ１と、一連の一の位の数の全ての他の数字２〜９との組合せでの表示のための第３の空所Ｖ２とを有し、第３の空所Ｖ２は、切欠部と、第１のディスクＭ１を駆動する第２の薄片Ｌ２の位置決めとによって形成される。これらの第３の空所Ｖ２は、図２Ｂでも、図２Ｂに対する水平軸に関する軸対称性によって、第２の薄片Ｌ２の位置決めと共に切欠部において見ることができる。しかし、明瞭にするために、４つの第２の空所Ｖ１は示されていない。図２Ａと図２Ｂにおいて、第２のディスクＭ２の同様の内側歯列を見ることができるが、実際には、これらの歯列は、異なる平面内で異なるホイールと噛合するように意図された主歯列と追加の歯列に対応する。したがって、図２Ａでは、図示される歯列は、第２の追加の平面Ｐ２’内で摺動ピニオンＢと噛合する第２のディスクＭ２の第２の追加の歯列Ｄ２’に対応し、一方、図２Ｂに示される歯列は、第２の主平面Ｐ２内で２４時間駆動ホイールＲと噛合する第２のディスクＭ２の第２の主歯列Ｄ２に対応する。主歯列Ｄ２と追加の第２の歯列Ｄ２’はそれぞれ、第２の主平面Ｐ２および第２の追加の平面Ｐ２’内で、一連の歯なしセクタＡ２およびＡ２’を有する。これらの一連の歯なしセクタは、第１のディスクＭ１の割送りを可能にするように提供されて、組合せ表示のために、第３の空所Ｖ２（すなわち、同じ割送りシーケンスに対応する切欠部および第２の薄片Ｌ２）が設けられた各セクタに向かい合うように一連の一の位の数２〜９を提供し、一方、第２のディスクＭ２は定位置に留まる。２つの一連の歯なしセクタＡ２およびＡ２’はそれぞれ、３つの歯なしセクタを含み、それらのセクタは、摺動ピニオンＢの配置に対する２４時間駆動ホイールの配置の相対位置により、循環置換によって互いから導出される。第２のディスクのホイールの第３の空所Ｖ２がアパーチャ内に表示されるときに各歯なしセクタが駆動ホイールと向かい合わせに位置されるように、第２のディスクＭ２のギアセグメントの角度位置は、ダイヤルのアパーチャの位置および２４時間駆動ホイールＲの位置に従って定義される。説明して図示する好ましい実施形態によれば、様々な割送りシーケンスを示す以下の一連の図５〜図９を参照して理解されるように、表示アパーチャは、ダイヤルの９時の位置にあり、２４時間駆動ホイールＲおよび摺動ピニオンはそれぞれ、プレート上のほぼ５時および１１時の位置に配置される。この構成を示すために、各ホイールの歯なしセクタが図２Ａおよび図２Ｂに示されており、以下のものを備える。
−図１Ｂの表示セグメントＳ２９で表示記号「３０」の下に配置された、第２のディスクＭ２の主ギア平面Ｐ２内の第１の歯なしセクタａ２１；
−図１Ｂの表示セグメントＳ２２で第１の表示記号「０Ｘ」の下に配置された、第２のディスクＭ２の主ギア平面Ｐ２内の第２の歯なしセクタａ２２；
−図１Ｂの表示セグメントＳ２５で表示記号「１Ｘ」の下に配置された、第２のディスクＭ２の主ギア平面Ｐ２内の第３の歯なしセクタａ２３。
【００３２】
同様に、第２のディスクＭ２の追加のギア平面内の一連の歯なしセクタは、以下のものを含む。
−図１Ｂの表示セグメントＳ２４で表示記号「１Ｘ」および第１のポストＴ１の直ぐ下に配置された、第２のディスクＭ２の追加のギア平面Ｐ２’内の第１の歯なしセクタａ２１’；
−図１Ｂの表示セグメントＳ２７で表示記号「２Ｘ」および第２のポストＴ２の直ぐ下に配置された、第２のディスクＭ２の追加のギア平面Ｐ２’内の第２の歯なしセクタａ２２’；
−図１Ｂの表示セグメントＳ２０で表示記号「３Ｘ」および第３のポストＴ３の直ぐ下に配置された、第２のディスクＭ２の追加のギア平面Ｐ２’内の第３の歯なしセクタａ２３’。
【００３３】
上述した２つの一連の歯なしセクタＡ２およびＡ２’は、さらに図１Ｂでも見ることができ（明瞭にするために参照符号は付されていない）、第２のディスクＭ２の第２の主歯列Ｄ２および第２の追加の歯列Ｄ２’の歯なしセクタに面する中小の円弧によって見られる。
【００３４】
主ギア平面および追加のギア平面Ｐ１、Ｐ２、Ｐ１’、およびＰ２’は、以下の図３Ｂおよび図４Ｂに示されている。また、図２Ａで、暦月の第９日から第１０日への変化に関する第１の十の位のための第１の駆動ポストＴ１と、暦月の第１９日から第２０日への変化に関する第２の十の位のための第２の駆動ポストＴ２と、最後に暦月の第２９日から第３０日への変化に関する第３の十の位のための第３の駆動ポストＴ３とが見られる。駆動ポストの角度位置は、アパーチャ、固定ギアセクタＫ、および可撓性の第１の薄片Ｌ１の相対位置に依存する。固定ギアセクタは、図６Ｇに詳細に示される駆動位置「ＰＥ」に半径方向外側へ第１の薄片Ｌ１を押すことによって第２のディスクＭ２を回転駆動させるように作用する。したがって、提案される構成は、ほぼ１１時の位置に位置決めされたギアセクタと、ダイヤルの９時の位置に設けられた表示アパーチャに関する、除去された一の位の数「０」の表示セグメントに対応する表示セグメントに配置された薄片との構成に対応する。しかし、上記のことから、本発明の範囲から逸脱することなく他の構成が可能であることも理解されよう。
【００３５】
図２Ｃおよび図２Ｄは、第１の一の位用ディスクＭ１の底面図および上面図をそれぞれ示し、ここで、一の位の数１〜９の第１の数字ｕ１のシーケンスに加えて、第２のディスクと一体である上述した３つのポストＴ１、Ｔ２、Ｔ３によって第２のディスクＭ２を駆動させるための第１の薄片Ｌ１も見られ、上記の図２Ａおよび２Ｂと同じ原理に従って、主歯列および追加の歯列は、別個の平面内で、デイリーギア係合のために２４時間駆動ホイールＲと噛合し、要求に応じた日付の手動修正のために摺動ピニオンＢと噛合するように意図される。図２Ｄにおいて、第１の主歯列Ｄ１は、図１Ａに示されるものと同一であり、主平面Ｐ１内で２４時間駆動ホイールＲと噛合するように意図された１０個の均等に分布された表示セグメントを有する。このギア平面では、歯なしセクタａ１が見られ、これは、第１のディスクＭ１を静止させたままで第２のディスクの割送りを可能にするように意図される。説明する好ましい実施形態によれば、このタイプの割送りは、ある暦月の第３１日から次の暦月の第１日への変化に重要である。同様に、図２Ｃで、第１の追加の歯列Ｄ１’は、第１の追加の平面Ｐ１’内で摺動ピニオンＢと噛合するように意図され、対応する歯なしセクタａ１’が存在する。
【００３６】
一連の図２Ａ、２Ｂ、２Ｃ、および２Ｄを参照して、同じディスクに関する各異なるギア平面に対応する歯なしセクタの位置は、垂直軸に対する軸対称性によって導出することができることを理解されたい。なぜなら、上面図および底面図は、水平軸に関して対称であり、２つの駆動ホイールセット、すなわち駆動ホイールＲと摺動ピニオンＢの配置は、ムーブメントのプレートの中心に関して対称に配置されるからである。軸対称性および中心対称性の構成は、実際には、前のものに直交する軸に対する軸対称性からなる。
【００３７】
また、図２Ｃは、第１と第２のディスクの間の相互結合を可能にするための最終駆動要素、すなわち切欠部Ｅ１、Ｅ２、およびＥ３を示し、これらは、第２のディスクＭ２によって第１のディスクＭ１を駆動させるために第２の薄片Ｌ２と協働するように意図される。説明する好ましい実施形態によれば、第１のディスクＭ１は、「１」で終わる日付を「２」で終わる日付に進めるための３つの切欠部を含む。より具体的には、第１の切欠部Ｅ１、第２の切欠部Ｅ２、および第３の切欠部Ｅ３は、均等に分布された（すなわち、それぞれ同じ値を有する角度セクタ内に規則的に分布された）１０個のセグメントの１サイクルにわたって分布され、第１の切欠部Ｅ１と第３の切欠部Ｅ２は３つのセグメントによって分離され、第２の切欠部Ｅ２と第３の切欠部Ｅ３も３つのセグメントによって分離され、その結果、第３の切欠部Ｅ３および第１の切欠部Ｅ１は４つのセグメントによって分離される。この一連の切欠部の位置決めは、第２のディスクＭ２での第２の薄片Ｌ２の位置決め、およびまたダイヤルにある表示アパーチャの位置に依存する。説明する好ましい実施形態によれば、第２の薄片Ｌ２は、第３の空所Ｖ２に関連付けられる記号「０Ｘ」に対応する図１Ｂの図の表示セグメントＳ２２に位置決めされ、暦月の第１日から第２日への変化の際に第１のディスクＭ１を駆動するように構成され、次いで、第２の薄片Ｌ２は、第１１日から第１２日へ日付を変えるために第２の切欠部Ｅ２と協働し、最後に、第２１日から第２２日へ日付を変えるために第３の切欠部Ｅ３と協働する。したがって、ある暦月の第３１日から次の暦月の第１日への変化の際には、第２の薄片Ｌ２は、第１の切欠部Ｅ１に対して１セグメントだけずらされ、この構成では、第１のディスクに歯がないため（歯なしセクタａ１）、上の「１」で終わる他の日付とは異なり、暦月の３１日サイクルを完了するために第１のディスクＭ１は第２のディスクによって駆動されない。以下の一連の図８Ａ〜Ｆおよび図９Ａ〜Ｆの図示を参照してこのギアメカニズムを説明する。これらの図は、それぞれ、１で終わる日付（第１、第１１、第２１日）から２で終わる次の日付（第２、第１２、第２２日）への変化のための第４の割送りシーケンス、および第３１日から次の暦月の第１日への変化の特定の場合に対応する第５の割送りシーケンスを詳細に説明する。
【００３８】
図３Ａおよび図３Ｂは、それぞれ、第１および第２のディスクの様々な歯列と２４時間駆動ホイールとのギアリングメカニズムの３次元の図を示し、特に、第１の主歯列Ｄ１が第１の主ギア平面Ｐ１内で噛合し、第２の主歯列Ｄ２が第２のギア平面内で噛合する。図３Ｂの断面図は、暦月の第３１日から次の暦月の第１日への変化時の各駆動歯列と共に、各ディスクの追加のギア平面（それぞれ第１のディスクに関して参照符号Ｐ１’および第２のディスクに関して参照符号Ｐ２’）を含めた全てのギア平面の特定の構成を示す。上記の本発明のグランドデイト表示の好ましい実施形態によれば、第１のディスクの第１の主歯列Ｄ１は、歯なしセクタａ１を有するように意図され、第２のディスクの主歯列ｄ１は歯を有する。その結果、第１の主平面Ｐ１内の駆動ホイールＲの第１のギア歯Ｒｄ１は、第１のディスクＭ１を駆動せず、駆動ホイールＲの第２のギア歯Ｒｄ２は、第２の主平面Ｐ２内で第２のディスクの歯列Ｄ２の歯と噛合する。図３Ａで、第１の追加の歯列Ｄ１’もこのギアセクタ内で歯を有さないことが見られ、これは、上から下へＰ１、Ｐ１’、Ｐ２’、Ｐ２の順に互いに続く異なるギア平面（図３Ｂで明瞭に見ることができる）を明確に分離することを可能にする。しかし、同じ図３Ａで、上部に配置された隣接するギアセクタは、それぞれ第１のディスクＭ１の深さ全体および第２のディスクＭ２の深さ全体にわたって延在する歯を有する一様な歯列Ｄ１、Ｄ１’およびＤ２、Ｄ２’を有することに留意されたい。この深さを越えて、各保定ジャンパ（第１のディスクに関する第１のジャンパＪ１と、第２のディスクに関する第２のジャンパＪ２）が延在することができる。したがって、表示セグメントとギア歯列が第１および第２のディスク（Ｍ１、Ｍ２）に関する環状部分の内周縁に完全に重畳されるこのディスク配置は、省スペース化を可能にするだけでなく、日付表示プログラミングメカニズムの実装をかなり単純化する。
【００３９】
同様に、図４Ａおよび図４Ｂは、摺動ピニオンＢを有する第１および第２のディスクの様々な歯列、特に、ある暦月の第３１日から次の暦月の第１日への変化の同じ例に関する追加の歯列のギアリングメカニズムの３次元の図を示す。上で説明したように、摺動ピニオンは、各ディスクの第１および第２のギア平面Ｐ１、Ｐ２内で噛合せず、第１および第２の追加のギア平面Ｐ１’、Ｐ２’内で噛合し、追加のギア平面Ｐ１’、Ｐ２’は、並置され、第１および第２の主ギア平面Ｐ１、Ｐ２の間にそれぞれ挟まれ、それにより、摺動ピニオンが特定の深さで配置されるようにし、２つのディスクの駆動歯列を組み合わせ、それにより、駆動ホイールＲと同様に、同じプロファイルを有する２つの別個の歯列を２つの別個の平面で機械加工する必要をなくし、これは製造費を減少させる。プレート上の摺動ピニオンＢの位置に関係なく、摺動ピニオンは、同一の歯プロファイルを有するその４つの歯ｂ１〜ｂ４（図４Ａにおいて、摺動ピニオンＢが作動されるときには第２の歯ｂ２である）の１つによって追加のギア歯列と噛合することができ、２４時間駆動ホイールＲが同時に主歯列に噛合することを保証されなければならない。したがって、第１の主ギア平面Ｐ１内の第１の主歯列Ｄ１上に歯なしセクタａ１があったので（図３Ｂ参照）、図４Ｂでは、第１の追加のギア平面Ｐ１’内の第１の追加の歯列Ｄ１’上に１つの歯なしセクタａ１’が存在しなければならないことに留意されたい。同様に、第２の主ギア平面Ｐ２内の第２の主歯列Ｄ２上に歯があったので、第２の追加のギア歯列Ｐ２’内のこのギアセクタに関する第２の追加の歯列Ｄ２’上に歯がある（比較のために図３Bおよび図４B参照）。
【００４０】
上述した一連の図２に関連する上述した例（これは、一連の図９を参照して以下に述べる第５のギアシーケンスに対応する）から、第１および第２のディスクＭ１、Ｍ２がそれぞれ、第１および第２の主デイリーギア歯列Ｄ１、Ｄ２を有し、これらの歯列Ｄ１、Ｄ２は、歯が存在するか否かに応じて、日付に従って２４時間駆動ホイールと選択的に噛合することを理解されよう。したがって、駆動ホイールＲは、第１のディスクＭ１を駆動させるための第１の主運動連鎖Ｃ１の開始点を形成し、また、第２のディスクＭ２を駆動させるための第２の主運動連鎖Ｃ２の開始点を形成する。２つのディスクの様々な歯列は、各ディスクをそれぞれ直接駆動させるためのプログラミングメカニズム全体の第１の部分を形成する。次いで、日付表示プログラミングメカニズムは、第２の部分によって完成され、これは、特定の日付（すなわち、説明して図面に示す好ましい例では、日付の十の位（０９→１０、１９→２０、２９→３０）、および一の位の数が１から２へ変わる日付（０１→０２、１１→１２、２１→２２））に関して、第１と第２のディスクの間での相互双方向結合メカニズムによって成される。
【００４１】
したがって、第１のディスクＭ１を第２のディスクＭ２と結合するためのメカニズムは、上記の好ましい実施形態に従って、１ヶ月の３１日のサイクル中に第１の薄片Ｌ１によってポストを３回（それぞれ第１、第２、および第３のポストＴ１、Ｔ２、Ｔ３）駆動させることによって形成され、第１の薄片Ｌ１は、１０個の表示セグメントを備える第１のディスクＭ１と一体であり、したがって、最大１０個の割送り位置のより制限されたサイクルを有する。薄片Ｌ１のアクティブ位置（図６Ｇでの「駆動位置」に関する参照符号「ＰＥ」）は、プレートＰ上に配置された固定ギアセクタＫによって決定され、固定ギアセクタＫは、少なくとも、１つの表示セグメントの幅にわたって延在し、少なくとも、次の１０日への変化（すなわち、暦月の第９日から第１０日への変化、暦月の第１９日から第２０日への変化、および暦月の第２９日から３０日への変化）のために第２のディスクを駆動させることを可能にしなければならない。図示しない変形形態では、この固定ギアセクタＫは、より大きな幅にわたって延在することができ、したがって、前述した次の十の位への変化に関してのみならず、それに続く「０」から「１」への変化に関しても、第１の薄片Ｌ１の駆動位置「ＰＥ」を維持することができることを理解されよう。
【００４２】
上述した図１０にも概略的に示されている第２のディスクＭ２を第１のディスクＭ１に結合するための第２のメカニズム２１０は、説明する好ましい実施形態では、第２の薄片Ｌ２によって向きを定めて切欠部（それぞれ、第１、第２、および第３の切欠部Ｅ１、Ｅ２、Ｅ３）を押すことにあり、第２の薄片Ｌ２は、第２のディスクＭ２と一体であり、第１のディスクＭ１の内周縁に向かって斜めに配置されている。説明する好ましい実施形態によれば、規定の様式（１０個の等距離の角度セグメントにわたる３／３／４のサイクル）で間隔を空けられた３つの切欠部の存在は、第１日から第２日へ、次いで第１１日から第１２日へ、最後に第２１日から第２２日への噛合を可能にする必要があり、次いで、暦月の最後の日（３１日）では、この日付も一の位の数字「１」で終了するが、駆動を停止する必要がある。
【００４３】
提案される好ましい実施形態では、２つの表示ディスク間の第１および第２の結合メカニズム１２０、２１０が、それぞれポストおよび切欠部と協働する可撓性薄片を使用するが、特に、適切なプロファイルを有する二重の歯列を使用する他の変形形態も可能であることを理解されたい。例えば、枢動する引込可能な歯が、第１の可撓性薄片Ｌ１の代わりとなり得て、やはり固定ギアセクタＫによって定位置で作動され、または長い歯によって置き換えられ、その場合には別のタイプの駆動要素（例えば、ポストの代わりとなる枢動歯のギア平面内の半径方向延在部など）と噛合する。ポストは、機能面では単にストップ部材であり、したがって、ディスクの表示平面に垂直な２つのディスクの共通回転軸に沿って配置されたピンからなる必要は必ずしもない。同様に、他の駆動要素およびストップ部材を第２の結合メカニズム２１０に関して採用することもでき、可撓性要素を必ずしも必要としない。したがって、第２のディスクＭ２に設けられた別のプロファイルと協働する第１のディスクＭ１に設けられたプロファイルを有する二重の歯列も、所望の結合メカニズムの実現に適切であり得る。
【００４４】
説明した好ましい実施形態の利点は、可撓性または非可撓性駆動要素の製造を打抜き加工によって実現することができ、したがってかなりのコスト節約をもたらすことである。
【００４５】
以下の一連の図５〜図９において、図１Ａおよび図１Ｂに示される第１のディスクＭ１および第２のディスクＭ２、ならびにこれらのディスクそれぞれのための１０セグメントプログラミングメカニズムを使用する好ましい実施形態での５つの本質的な割送りシーケンスを述べる。これらの一連の図は、２つのディスクの相互の相対角度位置、および相互結合要素（すなわち、ここでは、各ポストＴ１、Ｔ２、Ｔ３に対する第１の薄片Ｌ１、および各切欠部Ｅ１、Ｅ２、Ｅ３に対する第２の薄片Ｌ２）の相互の位置を示すように意図されている。理解を容易にするために、第１のディスクＭ１の記号は実線の文字で示されており、第２のディスクＭ２の記号からそれらを区別し、表示が第１の日付Ｑ１であるか第２の日付Ｑ２であるかを直観的に分かるようにしてある。
【００４６】
図５Ａ、図６Ａ、図７Ａ、図８Ａ、および図９Ａ、ならびにそれぞれ図５Ｄ、図６Ｄ、図７Ｄ、図８Ｄ、および図９Ｄの各図は、それぞれ割送りステップの前および後における、ダイヤルＣに形成されたアパーチャを通して表示される現在の日付を示し、アパーチャは、ここでは、十の位の数字ｄの表示のための第１の窓Ｆ１および一の位の数値の表示のための第２の窓Ｆ２によって形成される。アパーチャを通して表示される日付は、第１のディスクＭ１が有する記号を使用して第１の数字ｕ１が表示されるときには、第１の日付Ｑ１に対応し、または、一の位の数字が、第１のディスクＭ１から除去された第２の一の位の数字ｕ２（すなわち、ここでは、第２のディスクＭ２が有する「０」）であるときには、第２の日付Ｑ２に対応する。
【００４７】
一連の図５、すなわち図５Ａ、図５Ｂ、図５Ｃ、図５Ｄ、図５Ｅ、および図５Ｆは、日付の値に関する第１の割送りシーケンスを示し、ここでは、一の位の数が２〜９の間に含まれ、すなわち、変化２→３、３→４、４→５、５→６、６→７、７→８、および８→９に関する計７つの割送りステップである。この割送りシーケンスは、十の位の数字「ｄ」（０、１、または２であり得る）では、１ヶ暦月のサイクルで３回繰り返される。図５Ａは、割送り前の、ダイヤルＣのアパーチャを通して表示される日付「０２」を示し、図５Ａおよび図５Ｂは、第１と第２のディスクＭ１、Ｍ２の相対位置をそれぞれ上面図および底面図で示す。この位置で、２４時間駆動ホイールＲは、図５Ｂに示される第２のディスクの第２の歯列Ｄ２の第１の歯なしセクタａ２１に面し、したがって第２のディスクは回転駆動されず、一方、第１のディスクＭ１の第１の歯列Ｄ１は、２〜８の各日付毎に、駆動ホイールＲによって駆動される１つの歯を有する。このシーケンス中に表示される日付は全て、第１の日付Ｑ１であり、第１の一の位の数字ｕ１が第２の表示窓Ｆ２内で見える。
【００４８】
図５Ｂで、第２の薄片Ｌ２がアパーチャに位置される様子が見られ、図５Ｃで、この第２の薄片が第１の切欠部Ｅ１に係合する様子が見られる。この第１のシーケンスの各割送り中、第１のディスク１は、図５Ｂおよび図５Ｃで見られる矢印によって示される回転方向に回転し、第２の薄片Ｌ２の向きおよび各切欠部（すなわち、第１の切欠部Ｅ１、第２の切欠部Ｅ２、および第３の切欠部Ｅ３）の向きは、第１のディスクＭ１がこの第２の弾性薄片Ｌ２上で摺動できるようにする。図５Ｂおよび図５Ｃと同様の図を示す図５Ｅおよび図５Ｆで観察することができるように、暦月の第３日への変化後、第２の薄片Ｌ２は同じ位置に留まっており、したがって、２４時間駆動ホイールＲは、第２のディスクの第２の歯列Ｄ２の第１の歯なしセクタａ２１に依然として面しており、一方、第１のディスクＭ１は、表示セグメント１つ分だけシフトしており、したがって、第２の薄片Ｌ２はどの切欠部とも係合していない。この第１の割送りシーケンスの最後には、すなわち暦月の第９日に関しては、第２の薄片Ｌ２は、第１の切欠部Ｅ１と係合されていないが、第１のサイクルの最後に第３の切欠部Ｅ２と係合される。第１と第２のディスクＭ１、Ｍ２の相対位置が、暦月の第１２日に関する第２の切欠部Ｅ２との第２の薄片Ｌ２の係合から、暦月の第１９日に関する第３の切欠部Ｅ３との係合に変わり、暦月の第２２日に関する第３の切欠部Ｅ３との係合から、暦月の第２９日に関する（図５Ｆにおけるように）第１の切欠部に対して表示セグメント１つ分シフトされた位置に変わり、以下の一連の図９を参照して説明する暦月の第３１日から次の暦月の第１日への第５のシーケンスの最後の割送りを可能にすることを理解されたい。
【００４９】
この第１の割送りシーケンス中には、プレートＰの固定ギアセクタＫは使用されておらず、固定ギアセクタＫは、図６Ａ〜Ｇに示される第２の割送りシーケンスに関して第１のディスクＭ１と一体の第１の薄片Ｌ１と共に使用される。
【００５０】
図６Ａおよび図６Ｄは、ここでは第１の日付Ｑ１（ここでは０９）から第２の日付Ｑ２（ここでは１０）への変化を示す。実際、第１の十の位の数字ｄが第２のディスクによって依然として表示されている場合、第１の一の位の数字ｕ１「９」は第１のディスクＭ１によって表示されており、第１のディスクＭ１によってではなく第２のディスクＭ２によって表示される第２の一の位の数字ｕ２「０」への変化がある。
【００５１】
この第２の割送りシーケンス中には、第１のディスクＭ１が第２のディスクＭ２を駆動させるので、２つのディスクが一体に回転する。図６Ｇの詳細で見て分かるように、第１の薄片Ｌ１は、保持プレートＰの固定ギアセクタＫによってアクティブ位置、すなわち駆動位置（参照符号「ＰＥ」）に外方向へ押され、それにより、最初の十の位への変化のために第１のポストＴを駆動する。同じギアセクタＫを使用して各十の位の変化に関する同様の結合メカニズムが存在し、これは、それぞれ、暦月の第１９日から第２０日に変化するように駆動位置ＰＥで第２のポストＴ２に向けて第１の薄片Ｌ１を押し、また、暦月の第２９日から第３０日に変化するするように第３のポストＴ３に向けて第１の薄片Ｌ１を押すことが理解されよう。
【００５２】
図６Ｂで見られるように、第２の薄片Ｌ２は、依然としてアパーチャに面して位置決めされ、一方、第１のディスクＭ１の第１の記号列Ｉ１の最後の一の位の数は、ここでもやはり第２の窓Ｆ２に面している。上で説明したように、図６Ｃで見ることができるように、第２の薄片Ｌ２は、ここでは第２の切欠部Ｅ２に位置決めされる。第１のディスクＭ１がその第１のギア歯列Ｄ１（分かりやすくするためにこの図には示されていない）の歯によって駆動されている一方で、第２のディスクＭ２の第１の歯なしセクタａ２１（これは、依然として２４時間ホイールＲに面しており、したがって第２のディスクＭ２を回転駆動していない）の存在を克服するために、第１の薄片Ｌ１によって第１のポストＴ１を駆動させることによって第１のディスクＭ１によって第２のディスクＭ２を結合するためのメカニズムは、図６Ｂおよび図６Ｃに示される回転方向で表示セグメント１つ分だけ第２のディスクＭ２と第１のディスクＭ１を一体に回転駆動することを可能にする。実際、第２の薄片Ｌ２は第２の切欠部Ｅ２に依然として面しているが、（上面図である図６Ｅでは下方向に、底面図である図６Ｆでは上方向に）表示セグメント１つ分だけシフトされることを図６Ｅおよび６Ｆで見ることができる。
【００５３】
一連の図７Ａ〜７Ｆによって示される第３のシーケンスは、第２の日付Ｑ２から再び第１の日付Ｑ１への変化を示す。なぜなら、これは、「０」で終わる日付（すなわち、第１の記号列Ｉ１から除去された第２の数字ｕ２）から「１」で終わる日付（これは、第１のディスクの第１の記号シーケンスＩ１の第１の一の位の数字である）への変化であるからである。ここで述べる好ましい実施形態によれば、第１および第２のディスクＭ１およびＭ２を駆動させるモードが非常に単純である。なぜなら、第１のディスクＭ１の第１の主歯列Ｄ１および第２のディスクＭ２の第２の主歯列Ｄ２は、駆動ホイールＲと噛合する歯をそれぞれ含み、それにより本発明の結合メカニズムが使用されないからである。しかし、代替実施形態では、固定ギアセクタＫを拡大することができることが理解されよう。それにより、第１の薄片Ｌ１は、その駆動位置ＰＥに向けて外方向に常に押され、第１のスタッドＴ１を常に駆動し、それにより、第２のディスクＭ２を駆動させるために第２のディスクＭ２の第２の主歯列Ｄ２に歯が必要とされない。その場合、第２のディスクＭ２は、第１のディスクＭ１への結合によって、すなわちやはり一連の図６Ａ〜Ｇを参照して上述した第１の結合メカニズム１２０によって駆動される。さらに、第２の薄片Ｌ２がこの位置でやはり第２の切欠部Ｅ２に位置決めされると仮定して、この位置で第１の主歯列Ｄ１から１つの歯を除去することができ、その場合、第１のディスクＭ１は第２のディスクＭ２によって駆動される。第１の薄片Ｌ１が同様に第２のポストＴ２を駆動させることができる日付２０から２１の変化に関しても同様のことが当てはまる。または代替として、第２の薄片Ｌ２は、ここでも第３の切欠部Ｅ３によって第１のディスクＭ１を駆動させることができる。日付３０から３１の変化に関しては、第１の薄片Ｌ１はここでも第３のポストＴ３を駆動させるが、第２の薄片Ｌ２は、第１のディスクＭ１を駆動させるための代替とはなり得ない。なぜなら、この薄片は、以下に説明される一連の図９Ａ〜Ｆによって示される第５のシーケンスと同様に、第１の切欠部Ｅ１に関して表示セグメント１つ分だけシフトされるからである。上面図および底面図をそれぞれ示す図７Ｂおよび図７Ｃは、割送り中に同時に回転する両方のディスクの回転方向と共に、第１のディスクＭ１と第２のディスクＭ２の相対位置を示す。これらの代替実施形態（図示せず）に関して、第１および第２の追加の歯列Ｄ１’およびＤ２’が、修正された第１および第２の主歯列Ｄ１およびＤ２のプロファイルに従って調節されることを理解されたい。図７Ａおよび図７Ｄは、２つのディスクＭ１、Ｍ２それぞれの追加の表示セグメントの割送りされた位置を示し、第２の切欠部と依然として係合される第２の薄片Ｌ２を有するが、ここでは、第１の表示窓Ｆ１と第２の表示窓Ｆ２によって形成されるアパーチャの下に２つの表示セグメントがある。暦月の第２０日から第２１日への変化に関して、第１のディスクＭ１の角度位置は変化しないままであるが、第２のディスクＭ２の第２の薄片は、ダイヤルでほぼ３時の位置に位置決めされ、第３の切欠部Ｅ３では、図７Ｆにおけるように、第２の薄片Ｌ２のみが、第３の切欠部Ｅ３内に配置されるように移動されている。第３０日から第３１日への変化に関して、第１のディスクＭ１の位置は、割送り前の図７Ｂ／７Ｃの位置と割送り後の図７Ｅ／７Ｆの位置とで同じであり、第２のディスクＭ２の位置は、図９Ｂおよび図９Ｃで占有している位置と同じである。
【００５４】
図８Ａ〜図８Ｆに示される第４の割送りシーケンスは、一の位が「１」で終わる日付から一の位が「２」で終わる日付への、すなわち第１のディスクＭ１と第２のディスクＭ２の組合せによって表示される２つの日付Ｑ１の間での日付の割送りに対応する。これらの日付に関して、第１のディスクＭ１は、第１の歯列Ｄ１が歯なしセクタａ１を有するように位置決めされ（図８Ｂに示される）、第２のディスクＭ２が、暦月の最後に（やはり「１」で終わる日付「３１」に関して）、第１のディスクＭ１を伴わずに駆動されるようにする。これは、以下の図９Ａ〜９Ｆによって示される第５のシーケンスの主題であり、したがって、第５のシーケンスは、以下に述べる第４のシーケンスの特定の場合を成す。
【００５５】
暦月の第１１日に関して、図８Ａに示されるように、第２のディスクＭ２の第２の薄片Ｌ２は、第１のディスクの第２の切欠部Ｅ２に係合し、したがって、第１のディスクＭ１の第１の主歯列Ｄ１に歯がない場合でさえ、第１のディスクＭ１は第２のディスクＭ２によって回転駆動され、２４時間駆動ホイールＲによって、図８Ｂおよび図８Ｃの矢印によって示される回転方向へ追加の表示セグメントを通して駆動される。したがって、２つのディスクの相対位置は、図８Ｂ／Ｃと図８Ｅ／Ｆの間で変化しない。なぜなら、ディスクはそれぞれ、第１の数字ｕ１の第１のシーケンスＵ１の第１の一の位の数字「２」がアパーチャの第２の窓内に表示されるように回転されており、第２の薄片Ｌ２は、ダイヤルでの実質的に６時で、第１のディスクＭ１の第１の記号の最後の数字９の表示セグメントに重畳されるからである。他の前の割送りシーケンスと同様に、このシーケンスは、各暦月に３回繰り返され、一連の図８Ａ〜８Ｆの図示において、暦月の第１日から第２日への割送りに関して変化するのは第２の薄片Ｌ２の位置であり、第２の薄片Ｌ２は、第２の切欠部Ｅ２ではなく第１の切欠部Ｅ１と係合され、第２の薄片Ｌ２の位置は、ダイヤルのほぼ１０時の角度位置から、ダイヤルのほぼ９時の角度位置に変化し、上述した第１の割送りシーケンスの図５Ａ／５Ｂと同様に、割送りの最後にアパーチャに面し、そこにカレンダーメカニズムが次いで戻る。暦月の第２１日から第２２日への割送りに関して、第２の薄片Ｌ２は、第３の切欠部Ｅ３に係合し、第２の薄片Ｌ２の角度位置は、ダイヤルの実質的に３時の位置からダイヤルの２時の位置に変化する。
【００５６】
この第４の割送りシーケンスに関するこれら３つの可能な割送りステップそれぞれの最後に、駆動ホイールＲは、第１のディスクＭ１の第１の主歯列Ｄ１が第１の歯なしセクタａ１を設けられた表示セグメントから、第２の主歯列Ｄ２が歯なしセクタ（すなわち、暦月の第２日に関しては第１の歯なしセクタａ２１（図５Ｂ参照）、暦月の第１２日に関しては図８Ｅでの第２の歯なしセクタａ２２、および最後に、暦月の第２２日に関しては第３の歯なしセクタａ２３）を設けられた次の表示セグメントに変化することに留意されたい。
【００５７】
一連の図９Ａ〜図９Ｆは、第５の最後の割送りシーケンスに関し、これは、前に述べた４つの割送りシーケンスとは異なり、暦月に一度のみ行われ、他の４つのシーケンスは、それぞれ３回行われる。第４の割送りシーケンスに関する図８Ａ〜Ｆを参照して上述したように、第５の割送りシーケンスは、第２のディスクＭ２が第２の主歯列Ｄ２の１つの歯のみによって駆動され、第１の主歯列Ｄ１には歯がない（図９Ｂでの歯なしセクタａ１）という特定の状況での第４の割送りシーケンスの特定の場合であり、第１と第２の表示ディスクの間に結合メカニズムがないことは、第２のディスクＭ２が第１のディスクＭ１を伴わずに単独で回転することを意味する。
【００５８】
第３１日から次の暦月の第１日への割送り前と後の記号をそれぞれ示す図９Ａと図９Ｄを比較することによって分かるように、このシーケンスは、２つのディスクの組合せによって表示される第１の日付Ｑ１から別の第１の日付Ｑ１に変化する。図９Ｂおよび図９Ｃで見られる第１のディスクＭ１の角度位置は、割送り中に変化せず、図９Ｅおよび図９Ｆでも見られる。その結果、同じ歯なしセクタａ１が図９Ｅでも見られる。図９Ｃで分かるように、これは、第２のディスクＭ２に対する第１のディスクＭ１の相対角度位置が、第１の切欠部Ｅ１に第２の薄片Ｌ２が係合されず、相互係合による駆動が不可能であるような位置であるからである。しかし、第２のディスクＭ２が回転した後に、第２の薄片Ｌ２は、第１の切欠部Ｅ１によって第１のディスクＭ１を再び駆動することができ、この相互係合は、この第５の割送りシーケンス後に図９Ｆで見ることができ、これは次いで、前段で述べた第４の割送りシーケンスでの割送りを即座に可能にする。
【００５９】
この割送りが行われた後、表示サイクル全体が完了され、２つのディスクの角度位置は、アパーチャに関して同一であり、すなわち、第２のディスクＭ２と一体の第２の薄片と、値「２」の一の位の数字Ｕとが、実質的にダイヤルの１０時（すなわち、第１および第２の窓Ｆ１およびＦ２によって形成される表示アパーチャに対応する角度セグメント（ダイヤルの９時の位置に位置される）の直ぐ上の角度セグメント）に位置される。
【００６０】
以上のことから、提案されるグランドデイト表示デバイスのための他の表示代替形態、特に、説明した好ましい実施形態とは異なり、各ディスク上で半径方向ではなく接線方向に向けられた文字を有する記号を使用する表示が可能であることが理解されよう。特に、垂直方向ではなく半径方向で係合する引込可能な枢動歯、および例えばディスクとリングから形成される同心表示ディスク、またはさらには、異なる数の記号および表示セグメントを設けられた２つの非同心ディスクを用いた、２つの表示ディスクの間の他のプログラミングおよび結合メカニズムを使用する他の表示変形形態も可能である。
【符号の説明】
【００６１】
１２０  第１の結合メカニズム
２１０  第２の結合メカニズム
Ｂ  摺動ピニオン
Ｃ１  第１の運動連鎖
Ｃ２  第２の運動連鎖
Ｃ１’  第１の追加の運動連鎖
Ｃ２’  第２の追加の運動連鎖
ｄ  十の位の数字
Ｄ１  第１の主歯列
Ｄ１’  第１の追加の歯列
Ｄ２  第２の主歯列
Ｄ２’  第２の追加の歯列
Ｅ１  第１の切欠部
Ｅ２  第２の切欠部
Ｅ３  第３の切欠部
Ｉ１  第１の記号列
Ｉ２  第２の記号列
Ｋ  固定ギアセクタ
Ｌ１  第１の薄片
Ｌ２  第２の薄片
Ｍ１  第１のディスク
Ｍ２  第２のディスク
ＰＥ  駆動位置
Ｑ１  第１の日付の値
Ｒ  ２４時間駆動ホイール
Ｓ１０〜Ｓ１９  第１の表示セグメント
Ｓ２０〜Ｓ２９  第２の表示セグメント
Ｔ１  第１のポスト
Ｔ２  第２のポスト
Ｔ３  第３のポスト
【図１Ａ】
2016128809.tif 000003
【図１Ｂ】
2016128809.tif 000004
【図１Ｃ】
2016128809.tif 000005
【図１Ｄ】
2016128809.tif 000006
【図２Ａ】
2016128809.tif 000007
【図２Ｂ】
2016128809.tif 000008
【図２Ｃ】
2016128809.tif 000009
【図２Ｄ】
2016128809.tif 000010
【図３Ａ】
2016128809.tif 000011
【図３Ｂ】
2016128809.tif 000012
【図４Ａ】
2016128809.tif 000013
【図４Ｂ】
2016128809.tif 000014
【図５Ａ】
2016128809.tif 000015
【図５Ｂ】
2016128809.tif 000016
【図５Ｃ】
2016128809.tif 000017
【図５Ｄ】
2016128809.tif 000018
【図５Ｅ】
2016128809.tif 000019
【図５Ｆ】
2016128809.tif 000020
【図６Ａ】
2016128809.tif 000021
【図６Ｂ】
2016128809.tif 000022
【図６Ｃ】
2016128809.tif 000023
【図６Ｄ】
2016128809.tif 000024
【図６Ｅ】
2016128809.tif 000025
【図６Ｆ】
2016128809.tif 000026
【図６Ｇ】
2016128809.tif 000027
【図７Ａ】
2016128809.tif 000028
【図７Ｂ】
2016128809.tif 000029
【図７Ｃ】
2016128809.tif 000030
【図７Ｄ】
2016128809.tif 000031
【図７Ｅ】
2016128809.tif 000032
【図７Ｆ】
2016128809.tif 000033
【図８Ａ】
2016128809.tif 000034
【図８Ｂ】
2016128809.tif 000035
【図８Ｃ】
2016128809.tif 000036
【図８Ｄ】
2016128809.tif 000037
【図８Ｅ】
2016128809.tif 000038
【図８Ｆ】
2016128809.tif 000039
【図９Ａ】
2016128809.tif 000040
【図９Ｂ】
2016128809.tif 000041
【図９Ｃ】
2016128809.tif 000042
【図９Ｄ】
2016128809.tif 000043
【図９Ｅ】
2016128809.tif 000044
【図９Ｆ】
2016128809.tif 000045
【図１０】
2016128809.tif 000046
【外国語明細書】
2016128809000001.pdf